【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
ネットワークを介して、画像処理装置と管理装置が接続された画像処理システムであって、
前記画像処理装置は、
画像データに対して第１の画像処理を施す第１の画像処理手段と、
前記第１の画像処理手段による前記第１の画像処理の結果に基づいて、前記画像データの少なくとも一部の画像データを抽出する画像データ抽出手段と、を備えており、
前記管理装置は、
前記画像データ抽出手段によって抽出された画像データを受信したときに、グリッドコンピューティングによって複数の情報処理装置で分散処理を行なうように、前記ネットワークに接続された複数の情報処理装置の稼動状態に基づいて、該受信した画像データを、前記複数の情報処理装置のうち少なくとも１つの情報処理装置にジョブとして送信するジョブ割り当て手段と、
前記少なくとも１つの情報処理装置から前記ジョブに第２の画像処理が施された結果を受信したときに、該ジョブの結果を前記画像処理装置に送信する結果送信手段と、を備えることを特徴とする画像処理システム。
【請求項２】
前記ジョブ割り当て手段は、所定の時間以内に前記少なくとも１つの情報処理装置から前記ジョブの結果が送信されないときに、別の情報処理装置に前記ジョブを送信することを特徴とする請求項１に記載の画像処理装置。
【請求項３】
前記画像処理装置は、前記第１の画像処理の結果と、前記管理装置から送信されたジョブの結果を統合する結果統合手段を更に備えることを特徴とする請求項１又は２に記載の画像処理システム。
【請求項４】
前記第１及び第２の画像処理は、画像データに含まれる文字を認識して文字コードに変換する文字認識処理であることを特徴とする請求項１から３のいずれか１項に記載の画像処理システム。
【請求項５】
前記画像データ抽出手段は、前記第１の画像処理での文字の認識率が所定の閾値未満の画像ブロックを抽出し、前記第２の画像処理は、該画像ブロックに対する所定の前処理を含むことを特徴とする請求項４に記載の画像処理システム。
【請求項６】
前記画像処理装置は、印刷機能及び複写機能を備えたＭＦＰ（Multi Function Peripheral：複合機）であることを特徴とする請求項１から５のいずれか１項に記載の画像処理システム。
【請求項７】
前記ジョブ割り当て手段は、前記受信した画像データに加え前記第２の画像処理を行なうための画像処理プログラムを前記複数の情報処理装置のうち少なくとも１つの情報処理装置にジョブとして送信することを特徴とする請求項１項記載の画像処理システム。
【請求項８】
スキャナ画像を読み取る読み取り手段と、
前記読み取り手段で読み取った画像データに対して第１の画像処理を施す第１の画像処理手段と、
前記第１の画像処理手段による処理結果に基づいて、前記画像データの少なくとも一部の画像データを抽出する画像データ抽出手段と、
前記画像データ抽出手段によって抽出された画像データを外部装置に送信する送信手段と、
前記外部装置における、前記外部装置以外の情報処理装置のリソース分析に従い決まる、前記外部装置以外の情報処理装置において、前記抽出された画像データに第２の画像処理を施した処理結果を受信する受信手段とを有することを特徴とする画像処理装置。
【請求項９】
前記画像処理装置は、前記第１の画像処理手段による処理結果と、前記受信された処理結果を統合する結果統合手段とを、更に備えることを特徴とする請求項８記載の画像処理装置。
【請求項１０】
前記第１及び第２の画像処理は、画像データに含まれる文字を認識して文字コードに変換する文字認識処理であることを特徴とする請求項８に記載の画像処理装置。
【請求項１１】
ネットワークを介して、画像処理装置と管理装置が接続された画像処理システムにおける画像処理方法であって、
第１の画像処理手段が、画像データに対して第１の画像処理を施す第１の画像処理工程と、
画像データ抽出手段が、前記第１の画像処理工程による前記第１の画像処理の結果に基づいて、前記画像データの少なくとも一部の画像データを抽出する画像データ抽出工程と、
ジョブ割り当て手段が、前記画像データ抽出工程によって抽出された画像データを受信したときに、グリッドコンピューティングによって複数の情報処理装置で分散処理を行なうように、前記ネットワークに接続された複数の情報処理装置の稼動状態に基づいて、該受信した画像データを、前記複数の情報処理装置のうち少なくとも１つの情報処理装置にジョブとして送信するジョブ割り当て工程と、
結果送信手段が、前記少なくとも１つの情報処理装置から前記ジョブに第２の画像処理が施された結果を受信したときに、該ジョブの結果を前記画像処理装置に送信する結果送信工程と、を備えることを特徴とする画像処理方法。
【請求項１２】
読み取り手段が、スキャナ画像を読み取る読み取り工程と、
第１の画像処理手段が、前記読み取り工程で読み取った画像データに対して第１の画像処理を施す第１の画像処理工程と、
画像データ抽出手段が、前記第１の画像処理工程による処理結果に基づいて、前記画像データの少なくとも一部の画像データを抽出する画像データ抽出工程と、
送信手段が、前記画像データ抽出工程によって抽出された画像データを外部装置に送信する送信工程と、
受信手段が、前記外部装置における、前記外部装置以外の情報処理装置のリソース分析に従い決まる、前記外部装置以外の情報処理装置において、前記抽出された画像データに第２の画像処理を施した処理結果を受信する受信工程とを有することを特徴とする画像処理方法。
【請求項１３】
結果統合手段が、前記第１の画像処理工程による処理結果と前記受信された処理結果とを統合する結果統合工程を、更に備えることを特徴とする請求項１２記載の画像処理方法。
【請求項１４】
前記第１及び第２の画像処理は、画像データに含まれる文字を認識して文字コードに変換する文字認識処理であることを特徴とする請求項１２に記載の画像処理方法。
【請求項１５】
スキャナ画像を読み取る読み取り手段と、
前記読み取り手段で読み取った画像データに対して第１の画像処理を施す第１の画像処理手段と、
前記第１の画像処理手段による処理結果に基づいて、前記画像データの少なくとも一部の画像データを抽出する画像データ抽出手段と、
前記画像データ抽出手段によって抽出された画像データを外部装置に送信する送信手段と、
前記外部装置における、前記外部装置以外の情報処理装置のリソース分析に従い決まる、前記外部装置以外の情報処理装置において、前記抽出された画像データに第２の画像処理を施した処理結果を受信する受信手段とを有することを特徴とする画像処理プログラム。
【手続補正２】
【補正対象書類名】明細書
【補正対象項目名】００１１
【補正方法】変更
【補正の内容】
【００１１】
上記目的を達成する本発明の一態様としての画像処理システムは、ネットワークを介して、画像処理装置と管理装置が接続された画像処理システムであって、
画像処理装置は、
画像データに対して第１の画像処理を施す第１の画像処理手段と、
第１の画像処理手段による第１の画像処理の結果に基づいて、画像データの少なくとも一部の画像データを抽出する画像データ抽出手段と、を備えており、
管理装置は、
画像データ抽出手段によって抽出された画像データを受信したときに、グリッドコンピューティングによって複数の情報処理装置で分散処理を行なうように、ネットワークに接続された複数の情報処理装置の稼動状態に基づいて、該受信した画像データを、複数の情報処理装置のうち少なくとも１つの情報処理装置にジョブとして送信するジョブ割り当て手段と、
少なくとも１つの情報処理装置からジョブに第２の画像処理が施された結果を受信したときに、該ジョブの結果を画像処理装置に送信する結果送信手段と、を備えている。
【手続補正３】
【補正対象書類名】明細書
【補正対象項目名】００１２
【補正方法】変更
【補正の内容】
【００１２】
即ち、本発明では、ネットワークを介して、画像処理装置と管理装置が接続された画像処理システムにおいて、画像処理装置では、画像データに対して第１の画像処理を施し、第１の画像処理の結果に基づいて、画像データの少なくとも一部の画像データを抽出し、管理装置では、抽出された画像データを受信したときに、グリッドコンピューティングによって複数の情報処理装置で分散処理を行なうように、ネットワークに接続された複数の情報処理装置の稼動状態に基づいて、該受信した画像データを、複数の情報処理装置のうち少なくとも１つの情報処理装置にジョブとして送信し、少なくとも１つの情報処理装置からジョブに第２の画像処理が施された結果を受信したときに、該ジョブの結果を画像処理装置に送信する。
【手続補正４】
【補正対象書類名】明細書
【補正対象項目名】００１３
【補正方法】変更
【補正の内容】
【００１３】
このようにすると、画像処理装置で第１の画像処理を行なった後に、例えば、所望の結果が得られない部分を抽出してその部分を管理装置に送信すると、管理装置により、複数の情報処理装置それぞれの稼動状態に基づいて、それらのいずれかで第２の画像処理が行なわれるようにジョブが送信され、その結果が画像処理装置に返送される。
【手続補正５】
【補正対象書類名】明細書
【補正対象項目名】００１６
【補正方法】変更
【補正の内容】
【００１６】
画像処理装置は、第１の画像処理の結果と、管理装置から送信されたジョブの結果を統合する結果統合手段を更に備えるのがよい。
【手続補正６】
【補正対象書類名】明細書
【補正対象項目名】００２１
【補正方法】変更
【補正の内容】
【００２１】
本発明によれば、画像処理装置で第１の画像処理を行なった後に、例えば、所望の結果が得られない部分を抽出してその部分を管理装置に送信すると、管理装置により、複数の情報処理装置それぞれの稼動状態に基づいて、それらのいずれかで第２の画像処理が行なわれるようにジョブが送信され、その結果が画像処理装置に返送される。